(57)【要約】      （修正有）【課題】ユーザーの費用負担を低減又はなくすことができるプリントシール製造機を提供する。【解決手段】対象物を撮影する撮影部と、広告情報を記憶する広告記憶部と、広告記憶部に記憶されている広告情報を抽出する情報抽出部と、撮影部により撮影された対象物の画像と、情報抽出部により抽出された広告情報を、一枚のプリントシールに印刷する印刷部を含む。広告提供者にプリントシールの製造コストの一部又は全部を負担させる。【選択図】図２
0003167779.tif 000002
【実用新案登録請求の範囲】
【請求項１】
撮影画像が印刷されたプリントシールを製造するプリントシール製造機であって，
対象物を撮影する撮影部と，
広告情報を記憶する広告記憶部と，
前記広告記憶部に記憶されている広告情報を抽出する情報抽出部と，
前記撮影部により撮影された前記対象物の画像と，前記情報抽出部により抽出された前記広告情報を，一枚のプリントシールに印刷する印刷部を含む
プリントシール製造機。
【請求項２】
前記印刷部が前記対象物の画像及び前記広告情報を前記プリントシールに印刷している間，前記広告記憶部に記憶されている広告情報を表示する広告表示部をさらに備える
請求項１に記載のプリントシール製造機。
【請求項３】
前記情報抽出部は，前記広告表示部に表示される広告情報に対応する広告情報を，前記記憶部から抽出する
請求項２に記載のプリントシール製造機。
【請求項４】
前記対象物は人であって，
前記撮影部によって撮影された人の画像から，少なくとも，前記人の髪型，髪の色，髪飾りの形状，髪飾りの色，被服の形状，又は被服の色のいずれか１つの対象物情報を解析する対象物解析部をさらに備え，
前記広告記憶部は，前記広告情報と前記対象物情報を対応付けて記憶する広告テーブルを有し，
前記情報抽出部は，前記広告テーブルを参照して，前記対象物解析部が解析した対象物情報に対応付けられている広告情報を抽出する
請求項１に記載のプリントシール製造機。
【請求項５】
請求項１から請求項４のいずれかに記載のプリントシール製造機によって製造されたプリントシール。
【請求項６】
撮影画像が印刷されたプリントシールを製造するためのプリントシール製造システムであって，
対象物を撮影する撮影装置と，
広告情報を記憶する広告記憶装置と，
前記広告記憶装置から広告情報を抽出する情報抽出装置と，
前記撮影装置により撮影された前記対象物の画像と，前記情報抽出装置により抽出された前記広告情報を，一枚のプリントシールに印刷する印刷装置を含む
プリントシール製造システム。
【考案の詳細な説明】
【技術分野】
【０００１】
本考案は，撮影された対象物の画像が印刷されたプリントシール，プリントシール製造機，及びプリントシール製造システムに関する。
【背景技術】
【０００２】
従来から，例えばゲームセンターのような娯楽施設においては，プリクラ（登録商標）に代表されるプリントシール製造機が数多く設置されている（特許文献１）。このプリントシール製造機は，人などの対象物を撮影し，その撮影画像をシールに印刷して，プリントシールを自動で製造する。
【０００３】
このような撮影画像が印刷されたプリントシールを製造するためには，例えば，シールの材料費や，印刷費用，プリントシール製造機維持費用のような様々なコストが発生する。従って，一般的には，プリントシール製造機のユーザから料金を徴収することによって，これらのコストを賄うこととしている。
【先行技術文献】
【特許文献】
【０００４】
【特許文献１】特願２００５−５８４８２号公報
【考案の概要】
【考案が解決しようとする課題】
【０００５】
しかしながら，近年，プリントシールを製造するためにユーザから徴収する料金が，高騰する傾向にある。これは，プリントシール製造機が多機能化・高性能化するに伴い，プリントシール一枚を製造するのに必要なコストが増加しているからである。例えば，近年のプリントシール製造機は，撮影画像の画質や，撮影用フラッシュの性能，画像処理装置の性能が著しく向上している。また，近年のプリントシール製造機には，撮影された画像がインターネットを介して特定のウェブサイトにアップロードできる機能まで備わっている。
【０００６】
ところが，プリントシール製造機の主たるユーザは，１０代〜２０代である。従って，プリントシール製造機を使用するための料金が高騰するにつれ，その需要が落ち込んでしまっているという状況にあった。
【０００７】
そこで，現在，低価格又は無料でユーザに提供できるプリントシール，及びその製造機が求められている。
【課題を解決するための手段】
【０００８】
本考案の考案者は，従来の課題を解決するために鋭意検討した結果，プリントシール用のシールに，広告情報を掲載することにより，プリントシール製造機のユーザの費用負担を低減又はなくすことができるという知見を得た。つまり，広告提供者に，プリントシールを製造するのに必要なコストの一部又は全部負担させることができるため，ユーザの費用負担を軽くすることができる。
【０００９】
そして，上記知見に基づけば，従来の課題を解決できることに想到し，本考案を完成させた。具体的に説明すると，本考案は，以下の構成を備える。
【００１０】
本考案の第１の側面は，撮影画像が印刷されたプリントシールを製造するプリントシール製造機に関する。
本考案のプリントシール製造機は，撮影部と，広告記憶部と，情報抽出部と，印刷部を含む。
撮影部は，対象物を撮影する機能を有する。
広告記憶部は，広告情報を記憶する機能を有する。
情報抽出部は，広告記憶部に記憶されている広告情報を抽出する機能を有する。
印刷部は，撮影部により撮影された対象物の画像と，情報抽出部により抽出された広告情報を，一枚のプリントシールに印刷する機能を有する。
【００１１】
このような構成を有することにより，本考案のプリントシール製造機は，ユーザに対して，撮影画像と共に広告情報が印刷されたプリントシールを提供できる。従って，プリントシールの製造費用は，広告を掲載することによって得た収益によって賄うことができる。このため，ユーザの費用負担を軽減することができ，ユーザによるプリントシール製造機の使用頻度の向上が見込める。
【００１２】
また，本考案のプリントシール製造機は，さらに，印刷部が対象物の画像及び広告情報をプリントシールに印刷している間，広告記憶部に記憶されている広告情報を表示する広告表示部を備えることが好ましい。
【００１３】
通常，ユーザがプリントシール製造機を使用して，撮影を行ってから，プリントシールが製造されるまで時間がかかる。この待ち時間の間に，ユーザに対して広告情報を提示することにより，広告効率をより高めることができる。
【００１４】
また，本考案のプリントシール機においては，情報抽出部が，広告表示部に表示される広告情報に対応する広告情報を，記憶部から抽出することが好ましい。つまり，本考案のプリントシール機は，広告表示部に表示された広告情報と同内容の広告情報を，プリントシールに印刷する。
【００１５】
このように，ユーザに対して繰り返し同内容の広告を提示することにより，広告効果をより高めることができる。
【００１６】
本考案のプリントシール機の撮影対象物は人であることが好ましい。
この場合において，本考案のプリントシール機は，さらに，撮影部によって撮影された人の画像から，少なくとも，人の髪型，髪の色，髪飾りの形状，髪飾りの色，被服の形状，又は被服の色のいずれか１つの対象物情報を解析する対象物解析部５をさらに備える。
また，広告記憶部は，広告情報と対象物情報を対応付けて記憶する広告テーブルを有する。
そして，情報抽出部は，広告テーブルを参照して，対象物解析部が解析した対象物情報に対応付けられている広告情報を抽出する。
【００１７】
このような構成を有することにより，本考案のプリントシール機は，被写体であるユーザの画像から得た髪型や服装などの対象物情報に基づいて，ユーザの趣向に適合した広告をマッチングさせることができる。つまり，ユーザの髪型や服装などから，例えば，ユーザの性別や，年代，ファッションの好み，ファッションの流行，ユーザの属するコミュニティを把握することができるため，それぞれのユーザが求めている情報を適格に提示できる。従って，広告効率をさらに高めることができる。
【００１８】
本考案の第２の側面は，本考案の第１の側面に係るプリントシール製造機によって製造されたプリントシールに関する。本考案のプリントシールも，本考案のプリンシール製造機と同様に，従来の課題を解決することができる。
【図面の簡単な説明】
【００１９】
【図１】図１は，本考案のプリントシール製造機の全体構成の例を示す概略斜視図である。
【図２】図２は，プリントシール製造機のシステム構成を説明するためのブロック図である。
【図３】図３は，本考案のプリントシール製造機本体の変形例を示す概略斜視図である。
【図４】図４は，本考案のプリントシール製造機本体の変形例を示す概略斜視図である。
【図５】図５は，本考案のプリントシール製造機本体の変形例を示す概略斜視図である。
【図６】図６は，本考案のプリントシールの例を示す概略平面図である。
【図７】図７は，本考案のプリントシール製造システムの例を示す概略図である。
【考案を実施するための形態】
【００２０】
以下，図面を用いて本考案を実施するための形態について説明する。ただし，本考案は，以下に説明する形態に限定されるものではなく，以下の形態から当業者が自明な範囲で適宜修正したものも含む。つまり，本考案に係るプリントシール及びその製造機には，出願時にプリントシール及びその製造機のあらゆる構成を適宜採用することが可能である。
【００２１】
（１．プリントシール製造機）
本考案は，撮影された対象物の画像が印刷されたプリントシールを製造するプリントシール製造機１００に関する。本考案のプリントシール製造機１００の撮影の対象は，人であることが好ましい。ただし，本考案のプリントシール製造機１００の撮影対象は，例えば，犬や猫，その他の動物，植物，彫刻，その他の静物であってもよい。以下，具体的に，本考案の撮影対象物が人である場合について説明する。
【００２２】
（１−１．プリントシール製造機の全体構成）
図１は，本考案のプリントシール製造機１００の全体構成の例を示す概略斜視図である。図１に示されるように，プリントシール製造機１００は，プリントシール製造機本体１１０と，撮影対象物を外部から隠すためのシェード１２０を備える。プリントシール製造機１００のユーザは，図１に示すＤ１方向から，プリントシール製造機本体１１０とシェード１２０の間に進入し，撮影位置Ｐにおいて撮影を行う。プリントシール製造機１００のユーザは，一人であってもよいし，複数人であってもよい。
【００２３】
プリントシール製造機本体１１０は，図１に示されるように，その外観において，撮影部１，表示部４，及びプリントシール排出部３１を有する。撮影部１は，撮影位置Ｐに存在する一又は複数の対象物を撮影する。表示部４は，例えばタッチパネルとなっており，ユーザは適宜表示部４を操作して，プリントシールに印刷したい背景や装飾，文字などを選択入力する。また，表示部４は，広告表示部として機能するものであり，プリントシール製造機１００が，対象物の撮影を完了してからプリントシールを印刷するまでの間，広告情報を表示する。プリントシール排出部３１は，撮影対象物の画像及び広告情報を印刷したプリントシールを排出し，完成したプリントシールをユーザに提供する。
【００２４】
なお，プリントシール製造機１００は，基本的には，撮影部１，表示部４，及びプリントシール排出部３１を有するものであれば，どのような形態のものであってもよい。また，プリントシール製造機１００は，ユーザが操作入力する表示部４と，広告情報を表示する広告表示部４とを別体として備えるものであってもよい。また，プリントシール排出部３１は，プリントシール製造機本体１００から離れた位置に存在し，プリントシール製造機本体１００からの情報を受信してプリントシールを排出するものであってもよい。プリントシール製造機１００のその他の形態については後述する。
【００２５】
（１−２．プリントシール製造機のシステム構成）
図２は，プリントシール製造機１００のシステム構成を説明するためのブロック図である。図２に示されるように，情報表示装置１は，基本的には，撮影部１と，広告記憶部２と，情報抽出部２２と，印刷部３と，広告表示部４と，対象物解析部５を含む。
【００２６】
撮影部１は，対象物を撮影するための機能を有する。撮影部１の例は，カメラである。カメラの例は，ＣＣＤカメラである。ＣＣＤカメラは，例えば，静止画撮影モードと，動画撮影モードを有するものであってもよい。撮影部１によって撮影された画像は，画像処理部１１によって画像処理が施される。画像処理部１１は，例えば，撮影画像のボケ，画像の濃淡，画像の色彩，コントラスト，シャープネスを適宜修正する。そして，画像処理部１１において画像処理が施された画像データは，画像記憶部１０５に一時的に記憶される。
【００２７】
広告記憶部２は，プリントシールに印刷する広告情報，及び広告表示部４に表示する広告情報を記憶する。広告記憶部２に記憶される一又は複数の情報は，適宜更新することが可能である。基本的には，プリントシールに印刷される広告情報は，静止画像である。また，基本的には，広告表示部４に表示される広告情報を動画像である。なお，広告記憶部２は，同一の内容を示す静止画像と動画像については，対応付けて記憶することが好ましい。
【００２８】
広告記憶部２は，広告情報と対象物情報を対応付けて記憶する広告テーブル２１を含む。広告テーブル２１において，広告情報と対応付けられる対象物情報には，例えば，対象物である人の髪型，髪の色，髪飾りの形状，髪飾りの色，被服の形状，又は被服の色のいずれか１つ以上が含まれる。ユーザの髪型や服装のような対象物情報からは，例えば，ユーザの性別や，年代，ファッションの好み，ファッションの流行，ユーザの属するコミュニティを把握する事ができる。従って，広告テーブル２１においては，ユーザの趣向に応じた広告情報を，対象物情報に対応付けて記憶すればよい。
【００２９】
また，広告記憶部２には，異なる広告掲載領域２０２を有する広告情報が記憶されていてもよい。広告掲載領域２０２は，広告情報がプリントシールに印刷される面積に関する情報である。例えば，広告記憶部２は，広告提供者から支払われた広告費に対応付けて，異なる広告掲載領域２０２を記憶した広告掲載領域テーブルを有するものであってもよい。例えば，広告掲載領域テーブルには，広告費が高くなるにつれて，広い面積を有する広告掲載領域に関する情報が記憶されている。
【００３０】
また，広告記憶部２に記憶されている情報は，プリントシール製造機１００と情報通信回線を通じて接続されたサーバ（図示省略）によって管理されるものであってもよい。この場合において，プリントシール製造機１００は，情報通信回線を利用するために通信部を有する。そして，広告記憶部２は，サーバからの情報を受信して，記憶している広告情報を更新することができる。
【００３１】
また，広告記憶部２は，ユーザごとに設けられた個体識別情報（以下，ＩＤ情報という）と，広告情報を対応付けて記憶するＩＤ情報テーブル２３を有していてもよい。ＩＤ情報には，例えば，ユーザの氏名，ニックネーム，年齢，学歴，住所，プリントシール製造機の利用回数，過去の利用状況，及び個体識別番号が含まれる。これらのＩＤ情報は，例えば，プリントシール製造機１００の記憶部や，情報通信回線を通じて接続されるサーバに記憶しておけばよい。また，ユーザに対して専用のカードを発行し，そのカードにユーザの個体識別番号を記憶しておき，ユーザがプリントシール製造機にカードを挿入した場合に，カードに記憶されている個体識別番号に基づいて，記憶部又はサーバから，上記のＩＤ情報を読み出すこととしてもよい。このようにして，読み出されたユーザのＩＤ情報に基づいてＩＤ情報テーブル２３を参照し，ＩＤ情報テーブルおいて読み出されたＩＤ情報と対応付けられている広告が，情報抽出部２２によって抽出される。
【００３２】
広告記憶部２に記憶されている広告情報は，情報抽出部２２によって抽出され，プリントシールに印刷，又は広告表示部４に表示される。広告記憶部２に記憶されている広告情報が複数存在する場合には，情報抽出部２２は，例えば乱数に基づいて，広告情報を抽出するものであってもよい。また，上述した広告テーブル２１又はＩＤ情報テーブル２３を参照して，対象物情報に対応付けて記憶されている広告情報を抽出するものであってもよい。また，情報抽出部２２は，あるときは乱数に基づいて，あるときは広告テーブル２１を参照して，広告情報を抽出するものであってもよい。
【００３３】
また，プリントシール製造機１００におけるその他の記憶部には，例えば，撮影画像とともにプリントシールに印刷するための背景画像や，撮影画像に重畳して着色や描画を行うためのスタンプ画像が記憶されていることとしてもよい。例えば，記憶部には，髪型の画像や，衣服の画像，化粧品の画像が記憶されており，ユーザは，好みの髪型や衣服，化粧品を選択し，撮影画像上に配置することができる。従って，ユーザは，印刷されたプリントシールを見れば，好みの髪型や衣服，化粧品を試用した疑似体験をすることができる。
【００３４】
印刷部３は，シールに撮影画像及び広告情報を印刷する機能を有する。印刷部３の例は，プリンタである。プリンタの例は，例えば，インクジェットプリンタやレーザープリンタである。撮影画像及び広告情報を印刷するシールの形状や規格，素材，大きさは，その用途に応じて適宜選択できる。プリンタは，選択したシールに応じて，適宜公知の構成を採用できる。
【００３５】
広告表示部４は，印刷部１が対象物の画像及び広告情報をプリントシールに印刷している間，広告記憶部２に記憶されている広告情報を表示するための装置である。広告表示部４には，プリントシールに印刷される広告情報と同内容の広告情報が表示されることが好ましい。なお，広告表示部４は，動画像を表示する機能を有するものであることが好ましい。
【００３６】
対象物解析部５は，撮影部１によって撮影された人の画像に基づいて，人の髪型，髪の色，髪飾りの形状，髪飾りの色，被服の形状，又は被服の色のいずれか１つの対象物情報を解析する機能を有する。対象物解析部５は，例えば，撮影画像を走査（スキャニング）して，撮影画像のうちの，髪部分，髪飾り部分，及び被服部分を特定する。そして，対象物解析部５は，特定した髪部分，髪飾り部分，及び被服部分のそれぞれの形状及び色彩を解析する。そして，対象物解析部５が解析した，これらの人の髪型や服装に関する情報は，一時記憶部１０６に記憶される。
【００３７】
なお，対象物解析部５が解析した対象物情報は，前述したとおり，情報抽出部２２が，広告記憶部２から広告情報を抽出する際に，広告テーブル２１を参照するための情報として用いられる。すなわち，情報抽出部２２は，対象物解析部５が解析した対象物情報と，広告テーブル２１において対応付けられている広告情報を抽出する。そして，印刷部３は，情報抽出部２２によって抽出された広告情報ととともに，撮影部１が撮影した画像をプリントシールに印刷する。
【００３８】
本考案に係るプリントシール製造機１００は，その他，公知の構成を採用することができる。例えば，プリントシール製造機１００は，ユーザの有する携帯端末に，音楽ファイルや電子書籍ファイルをダウンロードさせることができる構成を備えていてもよい。
【００３９】
（１−３．プリントシール製造機の変形例）
図３から図５は，本考案が適用されたプリントシール製造機本体１１０の変形例を示している。図３及び図４は，図１に示されたプリントシール製造機本体１１０の厚みをより薄くした変形例を示している。このように，プリントシール製造機本体１１０の厚みを薄くすることにより，プリントシール製造機１００の設置費用を抑えることができ，コスト削減に繋がる。また，図５は，プリントシール製造機本体１１０を壁掛けタイプとした変形例を示している。このように，プリントシール製造機本体１１０を壁掛けタイプとすることにより，プリントシール製造機１００を設置する箇所を増やすことができると共に，その設置費用も抑えることがでるためコスト削減に繋がる。
【００４０】
（３．プリントシール）
図６は，本考案のプリントシール製造機１００により製造されたプリントシール２００の例を示す概略平面図である。図６に示されるように，プリントシール２００は，撮影画像印刷領域２０１と，広告掲載領域２０２を有する。撮影画像印刷領域２０１には，印刷部３によって，撮影部１によって撮影された画像が印刷される。一方，広告掲載領域２０２には，印刷部３によって，広告情報が印刷される。広告掲載領域２０２には，撮影部１によって対象物が撮影される前に，予め広告情報が印刷されていてもよい。また，広告掲載領域２０２には，撮影部１によって対象物が撮影された後，広告記憶部２から読み出された広告情報が，印刷されてもよい。特に，広告掲載領域２０２には，撮影部１の撮影画像から対象物解析部５が解析した対象物情報に対応して，広告記憶部２に記憶されている情報が，印刷されることが好ましい。
【００４１】
図６に示されるように，プリントシール２００に印刷される撮影画像は，異なる大きさであってもよい。図６に示す例においては，撮影画像印刷領域２０１の短手方向１／３に，長手方向１／６を乗じた大きさの撮影画像と，短手方向１／３に，長手方向１／３を乗じた大きさの撮影画像の２種類が存在する。プリントシール２００に印刷される撮影画像の大きさは，用途に応じて適宜変更することが可能である。
【００４２】
また，図６に示されるように，プリントシール２００の広告掲載領域２０２の大きさは，プリントシール２００全体の１／３程度であることが好ましい。ただし，広告掲載領域２０２の大きさは，例えば広告掲載費のような諸事情に応じて適宜変更することが可能である。
【００４３】
（４．プリントシール製造システム）
また，本考案は，プリントシール製造システムにも適用可能である。例えば，図７には，撮影部１，印刷部２，及び広告表示部４が，それぞれ別体の装置に組み込まれたプリントシール製造システムの例が示されている。図７に示された構成のプリントシール製造システムの場合，ユーザは，まず広告表示部４を操作し，撮影の背景や撮影枚数を設定する。この際，ユーザは広告表示部４に表示される広告情報を閲覧できる。広告表示部４に入力された情報は，撮影部１及び印刷部２に伝達される。次に，ユーザは，撮影部１を介して，撮影を行う。撮影部１は，広告表示部４に入力された情報を受信して撮影を行う。撮影部１により撮影された撮影画像は，印刷部３に伝達される。印刷部３は，撮影部１により撮影された画像をプリントシールに印刷する。そして，ユーザは，印刷部３から印刷されたプリントシールを受領する。
【００４４】
このように，撮影部１，印刷部２，及び広告表示部４を別体の装置に組み込んだプリントシールの製造システムを構築することにより，背景画像等の設定，写真の撮影，及びプリントシールの印刷を，流れ作業的に行うことができるため，プリントシール製造のための一連の作業の効率を向上させることができる。また，より多くのユーザに対して，広告情報を提供できるため，広告効率も向上する。
【産業上の利用可能性】
【００４５】
本考案は，例えばゲームセンターのような娯楽施設に設置されるプリントシール製造機及びプリントシールに適用できる。従って，本考案は，娯楽産業において好適に利用しうる。
【符号の説明】
【００４６】
１        撮影部
２        広告記憶部
３        印刷部
４        広告表示部
５        対象物解析部
１１      画像処理部
２１      広告テーブル
２２      情報抽出部
３１      プリントシール排出部
４１      画像調整部
１００    プリントシール製造機
１０１    制御部
１０２    入力部
１０３    主記憶部
１０４    出力部
１０６    画像記憶部
１１０    プリントシール製造機本体
１２０    シェード
２００    プリントシール
２０１    撮影画像印刷領域
２０２    広告掲載領域
【図１】
0003167779.tif 000003
【図２】
0003167779.tif 000004
【図３】
0003167779.tif 000005
【図４】
0003167779.tif 000006
【図５】
0003167779.tif 000007
【図６】
0003167779.tif 000008
【図７】
0003167779.tif 000009
【手続補正書】
【提出日】平成23年2月24日(2011.2.24)
【手続補正１】
【補正対象書類名】図面
【補正対象項目名】図６
【補正方法】変更
【補正の内容】
【図６】
0003167779.tif 000010